(57)【要約】【課題】  ファインダー光学系に液晶表示素子を組み込んで、液晶表示と被写体の実像とを同時に視認することができる一眼レフカメラにおいて、液晶表示素子によるカラー画像を表示することができるようにする。【解決手段】  ファインダー光学系にフィールドシーケンシャル方式による液晶表示素子と、複数色を発光する光源とを設けて、ファインダー内にカラー画像を表示可能とする。【選択図】    図１
2007219017.tif 000002
【特許請求の範囲】
【請求項１】
撮像レンズを介して被写体の実像を結像させるための表面を有する光拡散板と、前記光拡散板の表面近傍に配置した液晶表示素子と、前記光拡散板の表面に結像した実像と前記液晶表示素子による表示とを視認可能とする接眼レンズを有するファインダー光学系を備えた一眼レフカメラにおいて、
前記液晶表示素子は、フィールドシーケンシャル方式によりカラー表示を行う液晶表示素子であることを特徴とする一眼レフカメラ。
【請求項２】
複数の色の光を発光する光源を備え、
前記光拡散板は、前記光源から入射した光を前記液晶表示素子に照射することを特徴とする請求項１に記載の一眼レフカメラ。
【請求項３】
前記液晶表示素子により表示する表示領域は、前記撮像レンズからの実像が結像する結像領域よりも大きいことを特徴とする請求項１又は請求項２のいずれかに記載の一眼レフカメラ。
【請求項４】
前記光源は前記光拡散板の側面近傍に設置され、前記光拡散板は、前記光拡散板の側面から前記光拡散板の板内に入射した光又は前記光拡散板の側面近傍から照射された光を拡散させることを特徴とする請求項２又は請求項３のいずれかに記載に一眼レフカメラ。
【請求項５】
前記光拡散板は、前記光源から照明レンズを介して前記光拡散板に照射された光を拡散させることを特徴とする請求項２又は請求項３のいずれかに記載の一眼レフカメラ。
【請求項６】
前記光拡散板と前記光源との間には、前記光拡散板へ照射する光の照射領域を制限するためのマスクが配置され、前記マスクにより前記光拡散板の実像が結像する結像領域には前記光源からの光が照射されないことを特徴とする請求項５に記載の一眼レフカメラ。
【請求項７】
前記光源は周辺部に発光面を有する面発光体からなり、前記光源からの光は前記照明レンズを介して前記光拡散板の周辺部に照射され、前記光拡散板の実像が結像される結像領域には前記光源からの光が照射されないことを特徴とする請求項５に記載の一眼レフカメラ。
【請求項８】
前記光源と前記光拡散板との間の光路内であって、前記撮像レンズと前記光拡散板との間の光路外の位置に第１偏光板が配置されていることを特徴とする請求項２〜７のいずれか１項に記載の一眼レフカメラ。
【請求項９】
前記液晶表示素子から前記接眼レンズを通過する光路内に挿入離脱を自在にした第２偏光板が配置されていることを特徴とする請求項１〜８のいずれか１項に記載の一眼レフカメラ。
【発明の詳細な説明】
【技術分野】
【０００１】
本発明は、液晶表示素子による表示と、撮像しようとする被写体とをファインダー内で同時に視認可能とする一眼レフカメラに関する。
【背景技術】
【０００２】
一眼レフカメラにより撮像する場合に、ファインダーを覗いて被写体を捕らえているときには、撮影操作方法や撮影効果等が記載された取扱説明書を確認することができない。取扱説明書を参照するためには一度被写体から目を外さなければならず、再びカメラのファインダーを覗いて被写体を捕らえなければならない。これを繰り返して行うことはきわめて煩雑であることから、ファインダー内に被写体を捕らえながら、その撮影方法や撮影効果等も同時に読むことができるように、ファインダー内に液晶表示素子を組み込み、撮影方法等を液晶表示素子により表示して、被写体を捕らえながら同時に撮影方法等も参照できるようにした一眼レフカメラが知られている（例えば特許文献１を参照）。
【０００３】
図７は、上記特許文献１に記載された、透過型液晶モジュール１０５をファインダー光学系に組み込んだ一眼レフカメラの内部簡略図である。撮像レンズ１０１を介して入射した被写体の実像は、跳ね上げミラー１０７により反射されてピント板１０６に映し出される。ピント板１０６の上にはモノクロ表示を行う透過型液晶モジュール１０５が設置される。ピント板１０６に形成された被写体の実像と透過型液晶モジュール１０５に表示された画像とを、コンデンサーレンズ１０４、ペンタプリズム１０３、接眼レンズ１０２を介して視認することが出来る。撮影時には跳ね上げミラー１０７が跳ね上がり、被写体の実像はフィルム面に直接形成され、撮影される。
【０００４】
透過型液晶モジュール１０５は、一眼レフカメラの筐体に設置した各種スイッチやシャッター釦により、被写体の撮影方法、条件等を表示することが出来る。そして、撮影方法や条件等の選定を、ファインダーを覗いて被写体を捕らえながら行うことができる。
【０００５】
また、電子カメラの背面部に、電子カメラとは別体である筐体を取り付けた電子カメラが知られている（例えば特許文献２を参照）。電子カメラの背面部液晶表示装置に映し出された被写体の画像と、電子カメラのファインダーを介した被写体の実像とを同時に視認することが出来るというものである。この場合、筐体には新たにファインダーを設け、当該ファインダーから電子カメラのファインダーを覗くことができ、同時に、筐体に取り付けた２枚の反射板により、電子カメラ背面部の液晶表示装置に表示された画像も見ることが出来るようにしたものである。
【特許文献１】特開２０００−２５０１１９号公報
【特許文献２】特開２００４−２９７７４５号公報
【発明の開示】
【発明が解決しようとする課題】
【０００６】
ファインダーで覗いた状態で、記録された撮影画像を液晶表示素子で確認することができる機能と、撮影時に設定する撮影条件等の表示や、設定方法や取り扱い方法の説明等の表示を行う機能とを同じ液晶表示素子により実行する場合に、従来公知によるカメラは以下の課題があった。
【０００７】
特許文献１に記載されたカメラでは、カラー表示を行うことができないので、撮影しようとする、或いは、既に撮影したカラー実像を、これに組み込んだ透過型液晶モジュールにより表示させることができない、という課題がある。また、通常の方法によるカラー表示は、液晶パネルの各画素に赤色（Ｒ）、緑色（Ｇ）、青色（Ｂ）のカラーフィルターを形成する方式であるために、液晶パネルを透過する光の光量が減少する。そのためにこの種の液晶パネルをファインダー光学系に組み込んだ場合、ピント板に形成された実像の視認性が悪化する、という課題があった。
【０００８】
また、特許文献２に記載されたカメラでは、電子カメラの背面部に筐体を取り付けるものであるために、カメラとしての堅牢性が劣ること、また、筐体を取付けたカメラ全体が大きくなり、カメラの小型化が困難であること、等の課題があった。
【課題を解決するための手段】
【０００９】
本発明においては、上記の課題を解決するために、次の手段を講じた。すなわち、撮像レンズを介して被写体の実像を結像させるための表面を有する光拡散板と、光拡散板の表面近傍に配置した、フィールドシーケンシャル方式によりカラー表示を行う液晶表示素子と、光拡散板の表面に結像した実像と液晶表示素子による表示とを視認可能とする接眼レンズを備える構成のファインダー光学系を持つ一眼レフカメラとした。そして、カラー表示を行うための複数の色の光を発光する光源を備え、光拡散板は、光源から入射した光を液晶表示素子に照射するように構成されている。
【発明の効果】
【００１０】
フィールドシーケンシャル方式による液晶表示素子をファインダー光学系に組み込むことにより、カラー表示による情報表示又は画像表示を被写体の実像と同時に視認することが出来る、という利点を有する。
【００１１】
また、フィールドシーケンシャル方式による液晶表示素子は白黒液晶表示素子と同程度の光の透過率を有するので、被写体の実像を容易に視認することが出来る、という利点を有する。その他の効果については、実施の形態において具体的に述べる。
【発明を実施するための最良の形態】
【００１２】
本発明の一眼レフカメラは、撮像レンズを介して被写体の実像を結像する光拡散板と、この光拡散板の表面近傍に配置した液晶表示素子と、光拡散板の表面に結像した実像と、液晶表示素子に表示した画像とを視認するための接眼レンズとから構成されたファインダー光学系を有する。液晶表示素子はフィールドシーケンシャル方式により駆動される。
【００１３】
フィールドシーケンシャル方式の液晶表示素子は、液晶表示素子が特定の色に対応する画像を表示しているフィールドの期間に、当該特定の色の光を液晶表示素子に照射し、他の色に対応する画像を表示しているフィールドの期間に、当該他の色の光を照射するようにし、時間混色によりカラー表示を得る方式である。そのために、各画素にカラーフィルターを使用する必要が無い。その結果、液晶表示素子の透過率を高くすることができる。
【００１４】
一方、被写体の像は、投影レンズを介して光拡散板の光拡散面に結像される。この結像された被写体の実像は、液晶表示素子を通して液晶表示素子に表示された表示画像とともに接眼レンズにより視認される。透過率の高い液晶表示素子であるために、被写体の実像も視認することが容易となる。
【００１５】
また、ファインダー光学系は、複数色の光を発光する光源を備えている。例えば、Ｒ、Ｇ、Ｂの各色のＬＥＤ素子を持つ光源を備えている。光源は、光拡散板の横方向に設置する。そして、光拡散板の側面から光拡散板の内部に各色の光を導入する。光拡散板は、その上面に光を拡散させるための多数の溝あるいはプリズムが形成されており、その下面は平坦面を有する。光拡散板の側面近傍に設置された光源から入射した光は、光拡散板の上面において拡散され、下面においては全反射されて、光拡散板の上面の全面から上方に拡散される。
【００１６】
例えば、液晶表示素子がＲの色の対応する画像を表示しているＲフィールドの期間に、光源はＲのＬＥＤを発光させ、液晶表示素子がＧの色に対応する画像を表示しているＧフィールドの期間に、光源はＧのＬＥＤを発光させ、液晶表示素子がＢの色に対応する画像を表示しているＢフィールドの期間に、光源はＢのＬＥＤを発光させ、これを短期間に順次繰り返す。その結果、ファインダーを覗く人間の目には、時間混色によりフルカラーの画像として認識することができる。
【００１７】
光拡散板は同時にピント板の機能も有する。被写体の実像は光拡散板の上面に結像し、結像した被写体の実像と液晶表示素子上に表示された画像とを同時に見ることができる。
【００１８】
また、ファインダー光学系において、液晶表示素子により画像を表示する表示領域を、被写体の実像が結像する結像領域よりも大きくする。これにより、接眼レンズを介して画像を視認する場合に、中心部に被写体の実像を、周辺部に液晶表示素子により表示された画像をそれぞれ視認することができる。その結果、周囲に表示された情報を参照しながら撮影方法や撮影条件を決定することができる。
【００１９】
また、光源から照明レンズを介して光拡散板に光を投射する。すなわち、光拡散板の光拡散面に対して、光源により発光した光を投射する。被写体の実像が跳ね上げミラーにより反射されて光拡散板の光拡散面に結像する場合に、例えば、跳ね上げミラーを半透過型ミラーとすると共に光源を跳ね上げミラーの下部領域に設置して、光源からの光を跳ね上げミラーを介して光拡散板に照射するようにする。また、光源を光拡散板の横方向下部に設置して、光拡散板の下部斜め方向から光拡散板の光拡散面全面に光を照射することができる。また、光拡散板の結像された実像及び液晶表示素子に表示された表示画像を、ペンタプリズムを介して接眼レンズにより視認する場合に、光源をそのペンタプリズムの近傍に設置して、液晶表示素子を介して光拡散板の上方から光を照射することができる。これにより、光源を設置する設置場所の自由度を確保することができる。
【００２０】
また、光源と光拡散板との間に、光拡散板へ照射する光の照射領域を制限するためのマスクを設置する。このマスクにより、被写体の実像が結像される結像領域には光源からの光が照射されない。これにより、被写体の結像が光源からの光によりかき消されてしまうことを防止することができる。
【００２１】
また、光源は周辺部に発光面を有する面発光体とする。この面発光体からの光が照明レンズを介して光拡散板の周辺部に照射される。そして、光拡散板の中心部には被写体の実像が結像され、この結像領域には面発光体からの光が照射されない。液晶表示素子は光拡散板に光源から光が照射された領域において画像を表示する。これにより、光拡散板の結像領域に結像した被写体の実像が、光源からの光によりかき消されることを防止することができる。面発光体としては、ＥＬ素子、有機ＥＬ素子、あるいは、発光ダイオードを平面上に配列した発光体を用いることができる。
【００２２】
また、光源と光拡散板との間の光路内であって、撮像レンズと光拡散板との間の光路に含まれない位置に、第１偏光板を設置する。偏光板は特定方向の電界ベクトルを有する光を透過し、これと直交する電界ベクトルを有する光の透過を遮断する性質を有する。そのために、あらゆる方向の電界ベクトルを有する自然光に対して、偏光板の透過率は約１／２となる。偏光板は、液晶表示素子に表示された画像を視覚化するために必要であるが、被写体の実像を光拡散板に結像させるのに何ら機能しない。従って、透過光量が減少する第１偏光板を被写体の実像を形成する光路に含まれないようにする。これにより、光拡散板に結像する実像の明るさが減少することを防ぐことができる。
【００２３】
例えば、光源からの光を半透過型の跳ね上げミラーを介して光拡散板に照射する場合には、第１偏光板を光源と跳ね上げミラーとの間の光路に挿入する。光源からの光を、光拡散板の横方向下部から光拡散板に投射する場合には、撮像レンズと光拡散板との間の光路に含まれないように光源と光拡散板との間に挿入する。また、光源からの光を、ペンタプリズムを介して光拡散板に投射する場合には、第１偏光板を光源とペンタプリズムとの間の光路に挿入する。
【００２４】
また、液晶表示素子を透過した光が接眼レンズを通る光路内に挿入する第２偏光板は、当該光路への挿入又は当該光路からの離脱が自在にできるようにする。液晶表示素子に表示された画像を視認するためには、液晶表示素子とこれを見る人間の目との間に第２偏光板を挿入する必要がある。しかし、上述のように偏光板は自然光に対する透過率が約１／２となる。被写体の実像が結像して光拡散板により拡散された光は、撮像レンズと光拡散板との間に偏光板が介在しない限り、自然光となる。そのために、光拡散板以降の光路に偏光板が挿入されると、光量が減少する。従って、液晶表示素子に表示を行わない場合や液晶表示素子に表示された画像を見る必要が無いときは、第２偏光板を光路から取り外すことができるようにする。これにより、光拡散板に結像した被写体の実像を、光量が減少しないようにして視認することができる。
【００２５】
以下、本発明の実施例について、図面により詳細に説明する。
【００２６】
図１は、本実施例の一眼レフカメラ１を表す模式図である。被写体の実像は、撮像レンズ８を介して跳ね上げミラー９により反射されてファインダー光学系１１に入射される。撮像時には、跳ね上げミラー９が跳ね上がり、実像が撮像素子１０に結像して、図示しない記憶手段に記憶される。一眼レフカメラ１はその他に、カメラ全体の動作を制御するためのＣＰＵ、ストロボの動作を制御するストロボ制御手段、被写体の照度を検出するための照度検出手段、シャッター速度等を演算するための演算手段、シャッター速度を制御するためのシャッター速度制御手段、被写体の焦点を検出し、撮像レンズ８の位置調節を行うレンズ可動手段、操作方法や撮影条件を記憶するガイダンス記憶手段等を有する。
【００２７】
ファインダー光学系１１は、光拡散板６と、光拡散板６の側面近傍に配置された光源７と、フィールドシーケンシャル方式による液晶表示素子５と、光拡散板６に結像した実像と液晶表示素子５に表示された表示画像とを集光するコンデンサーレンズ４と、光路を変更するペンタプリズム２と、被写体の実像と液晶表示素子５の表示画像とを視認するための接眼レンズ３とから構成されている。液晶表示素子５は、第１偏光板２０ｐと第２偏光板２０ａにより挟まれている。
【００２８】
一眼レフカメラ１では、次のようにして被写体を撮像する。被写体の像は、撮像レンズ８を介して跳ね上げミラー９により反射され、光拡散板６の光拡散面に結像する。この結像した実像を、液晶表示素子５、ペンタプリズム２及び接眼レンズ３を通して視認する。
【００２９】
一方、光源７から光拡散板６の側面に複数の色の光を発光させ、光拡散板６の内部へ入射させる。光拡散板６に入射した光は、光拡散板６の上面に形成された光拡散面により拡散され、液晶表示素子５を照射する。液晶表示素子５は光源５と同期して、例えば液晶表示素子５がＲ（赤）の色に対応する画像を表示しているＲフィールドの期間に、光源７はＲの色の光を発光させ、緑（Ｇ）の色に対応する画像を表示しているＧフィールドの期間に、Ｇの色の光を発光させ、青（Ｂ）の色に対応する画像を表示しているＢフィールドの期間に、Ｂの色の光を発光させる。これを短時間で繰り返すことにより、コンデンサーレンズ４、ペンタプリズム２及び接眼レンズ３を介して、カラー画像として視認することができる。
【００３０】
撮像しようとする際に撮像方法や撮像条件を液晶表示素子５に表示させ、被写体の実像を捕らえながら必要な条件を設定することができる。また、既に撮影して記憶手段により記憶された画像を、液晶表示素子５に表示させて確認することもきる。また、光源７を点灯せずに、実像に液晶表示素子５の表示を上書きすることができる。この場合は、白黒表示となる。液晶表示素子５はフィールドシーケンシャル方式であるので透過率が高く、カラーフィルターを用いた液晶表示素子と比較して、光拡散板に結像した被写体の明るさを落とすことなく視認することができる。
【００３１】
また、被写体の明るさを照度検出手段により検出し、被写体の照度に応じて光源７の発光強度を制御することができる。被写体が暗く光源７が明るい場合には、光拡散板７に結像した実像がかき消され、逆に被写体が明るく光源７が暗い場合には、液晶表示素子５に表示された画像が見えにくくなるので、これを防止することができる。
【００３２】
図２は、フィールドシーケンシャル方式の液晶表示素子５の動作を説明するための模式的な回路ブロック図であり、図３は、液晶表示素子５及び光拡散板６の模式的な断面図である。同一の機能又は部材は同一の符号を付した。
【００３３】
図３に示すように、液晶表示素子５は、対向する透明基板２１と２４との間に液晶層２３が挟持された構造である。液晶材料にはネマティック液晶が用いられている。ネマティック液晶の液晶分子は、例えば透明基板２４の表面近傍においては紙面と垂直方向に配向され、透明基板２１の表面近傍においては紙面と水平方向に配向している。従って、液晶層２３は約９０°のねじれ構造を有する。液晶表示素子５は、第１偏光板２０ｐと第２偏光板２０ａにより挟まれている。第１偏光板２０ｐの偏光方向は概ね透明基板２４の表面の液晶分子の配向方向と一致させ、第２偏光板２０ａの偏光方向は概ね透明基板２１の表面の液晶分子の配向方向に一致させている。これにより、第１偏光板２０ｐを通過した光は液晶層２３により約９０°回転し、第２偏光板２０ａの偏光方向と一致するので、第２偏光板を通過することができる。
【００３４】
透明基板２１の内面には液晶層２３に電界を印加するための共通電極２２が形成されている。透明基板２４の内面には、画素電極１９及びこの画素電極１９に画像信号を供給するための信号電極１７が形成されている。共通電極２２と画素電極１９はＩＴＯなどからなる透明電極により構成されている。画素電極１９と共通電極２２に挟まれた液晶層２３が、共通電極２２与えられるコモン信号と画素電極１９に与えられる画像信号との間の電位差の電圧が印加されて駆動される。即ち、液晶層２３に印加される電圧が閾値電圧より高い場合には、液晶層２３の液晶分子が垂直方向に立ち上がり、第１偏光板２０ｐにより偏光された光は光の電界方向を回転させること無く第２偏光板に到達する。その結果、第２偏光板２０ａにより遮断される。
【００３５】
光拡散板６は、その上面に多数の溝２５からなる光拡散面２５を有する。光拡散面２５はピント板の機能を有する。即ち、撮像レンズ８を通過し、跳ね上げミラー９により反射された被写体の実像は、この光拡散面２５に結像する。また、光拡散板６の側面近傍に設置した光源７から出射される光を、光拡散板６の内部に導入して光拡散面２５により上方向へ出射させる。従って、光拡散板６は導光板としての機能を有する。
【００３６】
図２において、透明基板２４の液晶層２３側の表面には、多数の走査電極１６と多数の信号電極１７が形成されている。また、走査電極１６と信号電極１７との各交差部において、画素電極１９と、能動素子であるＴＦＴ１８が形成されている。ＴＦＴは、ソースが信号電極１７に、ドレインが画素電極１９に、ゲートが走査電極１６に接続している。そして、走査電極１６に走査信号が与えられたときに、ソースとドレインとを接続して信号電極に与えられた画像信号を画素電極１９に供給する。
【００３７】
走査電極１６に対して走査ドライバ１４から走査信号が与えられ、信号電極１７に対して画像信号が信号ドライバ１３から与えられる。また、光源７には赤色を発光するＲ−ＬＥＤ１５ｒと、緑色を発光するＧ−ＬＥＤ１５ｇと、青色を発光するＢ−ＬＥＤ１５ｂが含まれている。制御回路１２は走査ドライバ１４、信号ドライバ１３及び光源７を制御する。
【００３８】
液晶表示素子５及び光源７は、具体的に次のようにして駆動される。まず、制御回路１２により赤色を表示するＲフィールドが開始される。制御回路１２は光源７のＲ−ＬＥＤ１５ｒを発光させて液晶表示素子５に赤色を照射する。そして、走査ドライバ１４は線順次に一本ずつ走査電極１６を選択して走査信号を与える。その走査電極１６が選択されている期間に信号ドライバ１３により信号電極１７に赤色に対応する画像信号が与えられる。走査ドライバ１４は、順次走査電極１６を選択して対応する各画素電極１９に赤色に対応する画像信号を書き込む。全ての走査電極１６の走査を終了した後に、次のＧフィールドが開始される。上記と同様に、光源７のＧ−ＬＥＤ１５ｇが緑色の光を発光して液晶表示素子５へ照射され、走査ドライバ１４により順次走査電極１６が選択され、その選択されている期間に信号ドライバ１３により緑色に対応する画像信号が各信号電極１７に与えられて各画素電極１９に書き込まれる。同様に次のＢフィールにおいては、光源７のＢ−ＬＥＤが青色の光を発光し、各画素電極１９に青色に対応する画像信号が書き込まれる。これを高速で繰り返すことにより、ファインダーから見る液晶表示素子５に表示された画像は、時間混色されたフルカラーの画像として認識されることになる。
【００３９】
なお、本実施例では、液晶表示素子５として各画素電極１９にＴＦＴを設けたアクティブ液晶表示素子を使用する例について説明したが、画素数が少ない場合でも許容できる場合には、単純マトリクス型の液晶表示素子５をフィールドシーケンシャル方式により駆動させてもよい。単純マトリクス液晶表示素子の場合には、一方の透明基板２１の内面に多数のストライプ状透明電極を形成し、他方の透明基板２４の内面には、上記一方の透明基板２１のストライプ状透明電極と直交する方向に、多数のストライプ状透明電極を形成する。そして、これら電極の交差部を画素として、フィールドシーケンシャル方式により駆動させることができる。
【００４０】
図４は、光拡散板６の結像領域２６と液晶表示領域２７を説明する模式図であり、図５は、ファインダーから見た結像領域２６と液晶表示領域２７の位置関係を表している。特に、光拡散面２５に被写体の実像が形成される結像領域２６よりも液晶表示素子５による液晶表示領域２７が大きい場合を表している。中心部の結像領域２６に対して液晶表示領域２７を大きくすることにより、結像領域２６の周辺部に撮影方法や撮影条件のガイダンスを表示させる等、必要な情報を表示させることができる。
【００４１】
また、結像領域２６を含めた全面に、液晶表示素子５により画像を表示させることができる。例えば、跳ね上げミラー９を跳ね上げて被写体からの実像を撮像素子９に結像させる。この撮像素子１０で得られた画像を液晶表示素子５に表示させることができる。これにより、現に撮像された画像の状態を、液晶表示素子５により確認することができる。
【００４２】
図６は、本発明の一眼レフカメラの他の実施例を表す模式図である。同一の機能、部材は同一の符号により表す。被写体の実像は、撮像レンズ８を介して跳ね上げミラー６により反射され、光拡散板６に結像される。跳ね上げミラー６の表面には半透過型の反射膜２９が形成されている。ファインダー光学系１１は、光拡散板６、液晶表示素子５、コンデンサーレンズ４、ペンタプリズム２、第２偏光板２０ａ、接眼レンズ３を含み、更に跳ね上げミラー６の下部に配置した、レンズ３４を有する光源７、第１偏光板２０ｐ、光を遮光する遮光領域３２を有するマスク３１、反射鏡３３、照明用レンズ３０を含む。
【００４３】
光源７により発光された光はレンズ３４により集光され、マスク３１に照射される。マスク３１の中心部に遮光領域３２を形成することにより、光拡散板６の被写体の実像が結像する結像領域２６には光源７からの光が照射されないようにしている。これにより、光拡散板６の光拡散面２５に形成される被写体の実像が、光源７からの光照射により見えにくくなることを防止する。この場合は、光拡散板６の結像領域２６を除いた液晶表示領域２７に表示された画像を視認するようにしている。
【００４４】
また、第２の編光板２０ａは、光路への挿入及び離脱を自在とする。液晶表示素子５による表示を行わない場合や、液晶表示素子５に画像を表示させている場合でも、第２偏光板２０ａを光路から除去すれば、液晶表示素子５に表示された画像を視認することができない。これと同時に、第２偏光板２０ａを光路から除去したことにより、第２偏光板２０ａによる光の減衰がないので、結像領域２６に結像された被写体の実像は、より鮮明に視認することができるようになる。
【００４５】
また、第１編光板２０ｐは、被写体から撮像レンズ８を介して光拡散板６に結像する実像の光路には挿入されていない。即ち、被写体からの実像は偏光板によって光量が減衰されない。そのために、明るい実像を光拡散板６に結像させることができる、という利点を有する。なお、第１偏光板２０ｐは被写体の光拡散板６までの光路に含まれないようにすればよいので、跳ね上げミラー６と光源７との間の光路であれば、どの位置に挿入してもよい。
【００４６】
図６に示した液晶表示素子５及び光源７の駆動は、既に説明したと同様に行うことができる。
【００４７】
なお、本実施例においては、光源７を跳ね上げミラー６の下部に設置して、跳ね上げミラー６を介して光拡散板６の光拡散面２５を照射するようにしているが、光源７を光拡散板６の側面近傍の下部に設置し、光拡散板６の下部斜め方向から光を照射するようにしてもよい。この場合も、第１偏光板２０ｐは被写体の実像の光路外に設置する。
【００４８】
また、光源７をペンタプリズム２のいずれかの辺の近傍に設置することができる。例えば、ペンタプリズム２の上部に光源を設置し、ペンタプリズム２、コンデンサーレンズ４及び液晶表示素子５を通して光拡散板５の光拡散面２５に照射するようにしてもよい。第１偏光板２０ｐ、マスク３１、照明用レンズ３０は、光源７とペンタプリズム２との間に設置すればよい。
【００４９】
また、上述の実施例では、Ｒ、Ｇ、Ｂによるカラー表示について説明したが、これを２色のカラー表示による表示としてもよいし、更に多くの色を用いてもよい。
【図面の簡単な説明】
【００５０】
【図１】本発明の一眼レフカメラを説明するための模式図である。
【図２】フィールドシーケンシャル方式による液晶表示素子の動作を説明するための模式的な回路ブロック図である。
【図３】本発明の一眼レフカメラの液晶表示素子と光拡散板を模式的に示す断面図である。
【図４】本発明の一眼レフカメラの光拡散板における結像領域と液晶表示領域を示した模式図である。
【図５】本発明の一眼レフカメラのファインダーから見た結像領域と液晶表示領域の位置関係を表す模式図である。
【図６】本発明の一眼レフカメラを説明するための模式図である。
【図７】従来公知の一眼レフカメラの構成を示す模式図である。
【符号の説明】
【００５１】
１  一眼レフカメラ
２  ペンタプリズム
３  接眼レンズ
４  コンデンサーレンズ
５  液晶表示素子
６  光拡散板
７  光源
８  撮像レンズ
９  跳ね上げミラー
１０  撮像素子
１１  ファインダー光学系
【図１】
2007219017.tif 000003
【図２】
2007219017.tif 000004
【図３】
2007219017.tif 000005
【図４】
2007219017.tif 000006
【図５】
2007219017.tif 000007
【図６】
2007219017.tif 000008
【図７】
2007219017.tif 000009